(57)【要約】【課題】座り姿勢となったときでも、装着しているのが楽であると共に、立ち姿勢でも、座り姿勢でも、腰回りを均一に締め付けることが出来るように改善した腰ベルトを提供する。【解決手段】帯状の可撓素材を直線状に形成してある主ベルト部１０と、前記主ベルト部１０の両端部のそれぞれに、前記主ベルト部１０に対して傾斜角αをもって帯状の可撓素材を左右対称的に接続した左傾斜部１５Ｌおよび右傾斜部１５Ｒを有していることを特徴とする腰ベルト１である。【選択図】図１
0003235324.tif 000002
【実用新案登録請求の範囲】
【請求項１】
帯状の可撓素材を直線状に形成してある主ベルト部と、前記主ベルト部の両端部のそれぞれに、前記主ベルト部に対して傾斜角αをもって帯状の可撓素材を左右対称的に接続した左傾斜部および右傾斜部を有している、ことを特徴とする腰ベルト。
【請求項２】
前記傾斜角αは５〜３０度である、ことを特徴とする請求項１に記載の腰ベルト。
【請求項３】
前記主ベルト部と、前記左傾斜部および右傾斜部とは、少なくとも一方が伸縮性を備えている、ことを特徴とする請求項１または２に記載の腰ベルト。
【請求項４】
前記主ベルト部には補助ベルトが付加されている、ことを特徴とする請求項１から３のいずれかに記載の腰ベルト。
【考案の詳細な説明】
【技術分野】
【０００１】
本考案は、腰を保護するための腰ベルトに関する。より詳細には、腰痛が発生したときの痛みの軽減や改善のため、また腰に負担の掛かる作業をする際の作業補助や腰痛予防のため広く使用されている腰ベルトに関する。
【背景技術】
【０００２】
腰ベルトは、矯正ベルト、腰痛ベルト、コルセット、腰サポータなどとも称されて、従来から多くの提案がされているが、平面に展開した状態の腰ベルトは例えば特許文献１に開示されている腰ベルトの様に左右へ直線状に延在するものが一般的である。そして、左右の端部に設けてある面ファスナを係合させ、長さ調整をしながら腰ベルトを腰に巻き付けて使用している。
【先行技術文献】
【特許文献】
【０００３】
【特許文献１】特開２００２-３４５８６６号公報
【考案の概要】
【考案が解決しようとする課題】
【０００４】
腰ベルトを使用する人（以下、ユーザと称す）が立ち姿勢で腰ベルトを装着しているときには窮屈さを感じることは少ないが、ユーザが腰ベルトを装着して長時間、椅子に座るという場合も当然にある。特に、立ち姿勢から座り姿勢に変化したときには、腹部が前にせり出してくるので、座り姿勢となったときに窮屈さを感じるというユーザが多い。
一般に、中年以後は体形が変化して腹部が出てくる傾向があり、更に腰痛持ちとなる人も多くなる。この種のユーザが腰ベルトを装着して座り姿勢になると窮屈さをより深刻に感じることになる。
【０００５】
また、長時間の使用によって、腰ベルトの前側部分が盛り上がった腹の頂部から摺り下がり、腹部の下側に滑り落ちた状態になってしまうこともある。この状態になると、腰ベルトの上辺側には強い引張力が加わり、これとは逆に下辺側は引張力が弱くなり緩んでしまう。これでは腰ベルトで腰回り全体を均一に締め付けることが困難になる。
【０００６】
本考案の目的は、座り姿勢となったときでも装着しているのが楽であると共に、立ち姿勢でも、座り姿勢でも、腰回りを均一に締め付けることが出来るように改善した腰ベルトを提供することである。
【課題を解決するための手段】
【０００７】
上記の目的は、帯状の可撓素材を直線状に形成してある主ベルト部と、前記主ベルト部の両端部のそれぞれに、前記主ベルト部に対して傾斜角αをもって帯状の可撓素材を左右対称的に接続した左傾斜部および右傾斜部を有していることを特徴とする腰ベルト、により達成される。
【０００８】
そして、前記傾斜角αは５〜３０度とするのが好ましい。
また、前記主ベルト部と、前記左傾斜部および右傾斜部とは、少なくとも一方が伸縮性を備えているものが好ましい。
【０００９】
そして、前記主ベルト部には補助ベルトが付加されているものとしてもよい。
【考案の効果】
【００１０】
本考案の腰ベルトによれば、座り姿勢となったときでも、装着しているのが楽であると共に、立ち姿勢でも、座り姿勢でも、腰回りを均一に締め付けることができる。
【図面の簡単な説明】
【００１１】
【図１】本考案に係る一実施形態の腰ベルトについて示した図である。
【図２】本考案に係る腰ベルトを装着した様子と、従来の腰ベルトを装着した様子とを比較して示した図である。
【考案を実施するための形態】
【００１２】
以下、図面を参照して本考案に係る一実施形態の腰ベルトについて説明する。
図１は、腰ベルト１を平面で展開した様子を示しており、（ａ）は腰ベルトの表面の図、（ｂ）は腰ベルトの裏面（ユーザの身体に接する側の面）の図である。図１で確認できるように、腰ベルト１は中央に位置している帯状で直線状の主ベルト部１０と、この主ベルト部１０に対して傾斜角αをもって左右両側へ対称的に延在する左傾斜部１５Ｌおよび右傾斜部１５Ｒとを含んで構成されている。
上記主ベルト部１０と、左右傾斜部１５Ｌ、１５Ｒとは、互いの端部を突き合わせて縫い合わせている左右の接続部１７Ｌ、１７Ｒを介して接合されとなっている。
【００１３】
上記主ベルト部１０と、上記左傾斜部１５Ｌおよび右傾斜部１５Ｒとは、ユーザの身体形状に沿って変形するような可撓性の帯状の素材で形成されている。そして、これらの少なくとも一方は、更に伸縮性を備えた素材で形成しておくのが好ましい。伸縮性の帯状素材とすることで、ユーザの腰周りをより確実に締め付けて、保持することができる。帯状素材としては、例えば織布、不織布、編み布、メッシュ編みなどの布地から選択することができ、更にこれらの素材に所定の加工を施すことにより伸縮性を付与することができる。
【００１４】
図１で例示している腰ベルト１は、主ベルト部１０が伸縮性の帯状素材で形成されている。腰ベルト１の長さは使用するユーザの体形を想定して適宜に定めればよいが主ベルト部１０の長さ（Ｌ）に対して、左傾斜部１５Ｌおよび右傾斜部１５Ｒのそれぞれの長さはおおよそ半分の長さ（Ｌ/２）とすればよい。一例としては、主ベルト部１０の長さは、ユーザの背後側から横腹の辺りに巻き付けることを想定して例えば５００ｍｍに設計される。
【００１５】
また、主ベルト部１０の表面側には、図示のように補助ベルト１１を付加しておくのが好ましい。詳細には、補助ベルト１１は左補助ベルト１１Ｌと右補助ベルト１１Ｒとを含んで構成することができる。左補助ベルト１１Ｌ及び右補助ベルト１１Ｒは、主ベルト部１０の中央部に設けた接続部１２を基端として左右対称的に配置されている。補助ベルト１１は伸縮性を備えた素材、例えば幅広のゴムバンドを用いて形成すればよい。なお、左補助ベルト１１Ｌ及び右補助ベルト１１Ｒの先端部は腰ベルト１表面の所定位置に縫い付け固定してもよいし、面ファスナを用いて任意位置で係合して固定するようにしてもよい。補助ベルト１１を付加すれば腰ベルト１の締め付け力を更に向上させることができる。
【００１６】
左右の左傾斜部１５Ｌおよび右傾斜部１５Ｒは、従来の腰ベルトでは直線状であった部分を下向きに傾斜するように変更した部分である。
左傾斜部１５Ｌおよび右傾斜部１５Ｒには互いの先端部分を係合させて固定するための面ファスナ１６が設けてある。例えば右傾斜部１５Ｒの裏面側には面ファスナ１６の一方を構成する雄部領域１６ａが設けてあり、左傾斜部１５Ｌの表面側には雄部領域１６ａと係合する面ファスナ１６の他方を構成する雌部領域１６ｂが設けてある。
腰ベルト１を装着したときの長さ調整のため、雌部領域１６ｂの方が長く設定してあり、雌部領域１６ｂの任意の位置に、雄部領域１６ａを係合できるようにしてある。
【００１７】
なお、直線状である主ベルト部１０に対する、左傾斜部１５Ｌおよび右傾斜部１５Ｒの傾斜角αは例えば５度〜３０度とするのが好ましく、５度〜１５度とするのがより好ましい。傾斜角αが５度よりも小さい角度であると、腹部の出っ張りを避けるのが不十分となりユーザが窮屈さを未だに感じる可能性がある。これとは逆に、傾斜角αが３０度よりも大きい角度になると主ベルト部１０に作用する張力が低下して、本腰ベルト１による腰回りへの締め付ける力が弱くなってしまう。
【００１８】
図２は、（ａ）ユーザが本腰ベルト１を装着した場合と、（ｂ）ユーザが従来型の腰ベルト１００を装着した場合とを比較して示した図である。
図２（ｂ）で示す従来型の腰ベルトの前側部分は後側からそのまま延長された直線状であり同じ高さにあるので立ち姿勢から座り姿勢に変化したときには、前述したようにユーザは腹部の窮屈を感じ、また腰ベルトが腹部の下にずり落ちときには腰ベルトの上辺と下辺とに作用する引張力が不均衡となり締め付け力にアンバランスが生じることになる。
【００１９】
一方、図２（ａ）で示す本考案に係る腰ベルト１では、主ベルト部１０は直線状であるのでユーザの背側では腰部の周囲に均一に巻き付けることができ、そして主ベルト部１０の両端部は凡そ横腹の辺りに位置する。主ベルト部１０の両端には左傾斜部１５Ｌおよび右傾斜部１５Ｒが接続されているので腰ベルト１の前側の部分は、前端部なるに程に下がり、腹部の下側辺りで左傾斜部１５Ｌの端部と右傾斜部１５の端部とが面ファスナで止められる。このように腰ベルト１によるとユーザの腰周りの全体をバランス良く締め付けることができる。
特に図２で確認できるように、腰ベルト１の前側部分は予め腹部の下側にあるので、立ち姿勢から座り姿勢に変化したとしてもユーザが窮屈を感じることがなく、座ったことによる本腰ベルト１の引張力の変化は従来型の腰ベルトと比較して低く抑えることができる。
【００２０】
図１に例示した腰ベルトでは主ベルト部１０が伸縮性素材、左右傾斜部１５Ｌ、１５Ｒを非伸縮性素材とした場合について説明したが、逆に主ベルト部１０が非伸縮性素材、左右傾斜部１５Ｌ、１５Ｒを伸縮性素材としたとしてもよいし、その両方を伸縮性素材としてもよい。
図１の主ベルト部１０の幅（図１で上下方向の長さ）は特に限定はなく適宜に定めればよいが、例えば５０〜１５０ｍｍの長さとすればよく、９５〜１１５ｍｍとするのが好ましい。そして、左右の左右傾斜部１５Ｌ、１５Ｒの幅は、主ベルト部１０に対応した幅とすればよい。
【００２１】
以上本考案の好ましい一実施形態について詳述したが、本考案は係る特定の実施形態に限定されるものではなく、実用新案登録請求の範囲に記載された本考案の要旨の範囲内において、種々の変形・変更が可能である。
【符号の説明】
【００２２】
１                                    腰ベルト
１０                                  主ベルト部
１１                                  補助ベルト
１１Ｒ                                右補助ベルト
１１Ｌ                                左補助ベルト
１２                                  接続部
１５                                  傾斜部
１５Ｒ                                右傾斜部
１５Ｌ                                左傾斜部
１６                                  面ファスナ
１６ａ                                雄部領域
１６ｂ                                雌部領域
１７Ｒ                                右接続部
１７Ｌ                                左接続部
α                                    傾斜角
【図１】
0003235324.tif 000003
【図２】
0003235324.tif 000004